(57)【特許請求の範囲】
【請求項１】
一端側に吸込水槽内の水を吸い込む吸込口が形成されるとともに、他端側に吐出管が接続されたケーシングと、  前記ケーシング内に配設され、前記吸込口から水を吸い込むためのインペラを連結した回転軸と、  前記回転軸を回転可能に支持する軸受けと、  前記インペラの排水方向下流側に位置するように前記回転軸に固定されたバランス板と  を備え、  前記ケーシング内には、前記インペラの排水方向下流側に隣接するように軸受ケーシングが配設され、  前記バランス板は、前記軸受ケーシングの前記インペラ側に配置されており、  前記軸受ケーシングの前記バランス板と対向する部分には背圧室が設けられ、  前記背圧室に、前記軸受ケーシングと前記ケーシングとの間に架設された接続パイプを有し、前記背圧室内の水を前記ケーシング外に排水する排水部が連通されていることを特徴とするポンプ。
【請求項２】
前記バランス板は、前記インペラを回転可能に支持するラジアル軸受けの排水方向上流側に配設されていることを特徴とする請求項１に記載のポンプ。
【請求項３】
前記ケーシングは、前記回転軸の一部を外側に突出させる貫通部と、この貫通部に配置した軸封装置とを備え、
前記軸封装置の前記インペラ側には、前記バランス板とは異なる第２のバランス板が配設されていることを特徴とする請求項１または請求項２に記載のポンプ。
【請求項４】
前記排水部に、排水量を調整可能な絞りを設けたことを特徴とする請求項１から３のいずれか１項に記載のポンプ。
【請求項５】
前記ケーシング内の前記インペラの上流側に一端側が開口され、他端側が前記吸込水槽内の設定した水中渦発生予測水位に開口される吸気管を備えることを特徴とする請求項１乃至請求項４のいずれか１項に記載のポンプ。
【請求項６】
前記吸気管の前記ケーシング側の開口面積は、前記インペラの上流側に位置する前記ケーシングの最も開口面積が小さい部分の５％以下であることを特徴とする請求項５に記載のポンプ。
【発明の詳細な説明】
【技術分野】
【０００１】
本発明は、吸込水槽に溜められた水を排水するポンプに関する。
【背景技術】
【０００２】
立軸ポンプは、鉛直方向に延びるケーシングの内部に、インペラを連結した回転軸を備える。回転軸は、インペラの排水方向下流側が軸受けによって回転可能に支持されている。軸受けは、ケーシング内で回転軸を支持するラジアル軸受けと、ケーシング外において回転軸の端部を支持するスラスト軸受けとを含む。ポンプが動作されると、排水によりインペラの排水方向下流側の圧力（背圧）が高くなる。そのため、スラスト軸受けには大きなスラスト荷重が加わり、破損や振動を生じさせる。
【０００３】
特許文献１には、スラスト軸受けに加わる軸スラスト荷重を低減し、破損や振動を抑制できるようにしたポンプのスラスト低減装置が提案されている。このポンプでは、インペラを支持するラジアル軸受けに、排水の一部を導出可能なバランスホール（排水路）が形成されている。このバランスホールには釣合管の一端側が連通されている。釣合管の他端側は、インペラの上流側である吸込ベルマウスに接続され、ケーシング内と連通している。これにより、インペラの下流側の排水がインペラの上流側に放水される。その結果、インペラの上流側圧力と下流側圧力との圧力差を小さくできるため、スラスト軸受けに加わるスラスト荷重を低減できる。
【０００４】
しかしながら、特許文献１のポンプは、軸スラスト荷重を低減できる自由度が低く、改良が望まれる。また、半径スラスト荷重についての対策は何ら施されていない。
【先行技術文献】
【特許文献】
【０００５】
【特許文献１】特開平０７−３３２２８１号公報
【発明の概要】
【発明が解決しようとする課題】
【０００６】
本発明は、ポンプに加わる軸スラスト荷重を効果的に低減することを課題とする。また、半径スラスト荷重も効果的に低減することを課題とする。
【課題を解決するための手段】
【０００７】  前記課題を解決するため、本発明のポンプは、一端側に吸込水槽内の水を吸い込む吸込口が形成されるとともに、他端側に吐出管が接続されたケーシングと、前記ケーシング内に配設され、前記吸込口から水を吸い込むためのインペラを連結した回転軸と、前記回転軸を回転可能に支持する軸受けと、前記インペラの排水方向下流側に位置するように前記回転軸に固定されたバランス板とを備え、前記ケーシング内には、前記インペラの排水方向下流側に隣接するように軸受ケーシングが配設され、前記バランス板は、前記軸受ケーシングの前記インペラ側に配置されており、前記軸受ケーシングの前記バランス板と対向する部分には背圧室が設けられ、前記背圧室に、前記軸受ケーシングと前記ケーシングとの間に架設された接続パイプを有し、前記背圧室内の水を前記ケーシング外に排水する排水部が連通されている。【０００８】
このポンプは、回転軸にバランス板が固定されているため、バランス板の下流側の圧力（背圧）を低くすることができる。よって、回転軸の軸方向に沿った軸スラスト荷重を効果的に低減できる。また、バランス板の直径は、インペラの直径に関係なく任意に設定できるため、設計の自由度が大きい。その結果、回転軸の端部を回転可能に支持するスラスト軸受けの破損や振動を効果的に抑制できる。また、バランス板の下流側の背圧室に、内部の水をケーシング外に排水する排水部が連通されているため、バランス板の背圧を低減した状態に保つことができる。また、回転軸には、インペラ軸スラストと逆向きの軸スラストを加えることができる。よって、ラジアル軸受け等の破損や振動を抑制できる。
【０００９】
前記バランス板は、前記インペラを回転可能に支持するラジアル軸受けの排水方向上流側に配設されている。このようにすれば、ラジアル軸受けでの圧力が低減されるため、半径スラスト荷重を低減し、ラジアル軸受けの破損や振動も抑制できる。
【００１０】
また、前記ケーシングは、前記回転軸の一部を外側に突出させる貫通部と、この貫通部に配置した軸封装置とを備え、前記軸封装置の前記インペラ側には、前記バランス板とは異なる第２のバランス板が配設されている。このようにすれば、軸封装置側の圧力が低減されるため、軸封装置の破損を抑制できるとともに、軸封装置からの水の漏出を確実に防止できる。
【００１２】
前記排水部に、排水量を調整可能な絞りを設けることが好ましい。このようにすれば、軸スラスト荷重を調整できるため、スラスト軸受け等の破損や振動を効果的に抑制できる。
【００１３】
また、本発明のポンプは、前記ケーシング内の前記インペラの上流側に一端側が開口され、他端側が前記吸込水槽内の設定した水中渦発生予測水位に開口される吸気管を備える。このようにすれば、吸気管から吸込まれた吸込水槽内の空気が、ケーシング内でインペラによって直径数ミリ以下の多数の気泡（マイクロバブル）に粉砕され、揚水と一緒に下流側へ排出される。このマイクロバブルがクッションの役割をなすため、ラジアル軸受けの半径スラスト荷重を効果的に低減できる。よって、ポンプの振動や騒音を抑制できるとともに、ラジアル軸受け等の破損を抑制できる。
【００１４】
前記吸気管の前記ケーシング側の開口面積は、前記インペラの上流側に位置する前記ケーシングの最も開口面積が小さい部分の５％以下である。このようにすれば、ケーシング内に供給する空気量を、運転の阻害にならない流量に設定できる。なお、空気管の一端側を据付床内で開口させ、空気管の他端側をインペラの上流側に位置するようにケーシング内で開口させたポンプが公知（例えば特許第４６９０１３４号）である。しかし、この従来ポンプは、空気を多量に吸込ませてエアロック運転をさせるためであり、パイプ直径も太く、空気吸い込みにより排水が止まるように設計されている。本発明は、排水を停止するのではなく、水中渦による流体力を低減する目的であるため、吸気管の開口面積を前記設定としている。これにより揚程が大きく低下しない微量の空気を吸込むため、排水を継続できる空気量を確保できる。
【発明の効果】
【００１５】
本発明のポンプでは、回転軸のインペラの排水方向下流側にバランス板を設けているため、軸スラスト荷重を効果的に低減できる。また、吸込水槽内の水中渦発生予測水位で開口させた吸気管をインペラの上流側に接続しているため、半径スラスト荷重を効果的に低減できる。よって、軸受け等の破損や振動を抑制できる。
【図面の簡単な説明】
【００１６】
【図１】本発明の第１実施形態の立軸ポンプを示す断面図。
【図２】図１の一部拡大断面図。
【図３】第２実施形態の立軸ポンプを示す断面図。
【図４】図４の一部拡大断面図。
【図５】第３実施形態の立軸ポンプの一部拡大断面図。
【図６】第４実施形態の立軸ポンプを示す断面図。
【発明を実施するための形態】
【００１７】
以下、本発明の実施の形態を図面に従って説明する。
【００１８】
（第１実施形態）
図１は、本発明の第１実施形態に係る立軸ポンプ１０を示す。この立軸ポンプ１０は、据付床１の配置穴２を通して吸込水槽３内に配置されるケーシング１１を備える。ケーシング１１には、吸込水槽３内の水を吸い込む吸込口１２が下端側に形成され、下流側の吐出水槽（図示せず）に配管された吐出管１３が上端側に接続されている。本発明の立軸ポンプ１０は、回転軸１８にバランス板２６を配設するとともに、ケーシング１１に吸気管３３を配設することで、軸スラスト荷重および半径スラスト荷重を効果的に低減する。
【００１９】
詳しくは、ケーシング１１は、鉛直方向に延びる直管状の揚水管１４を備える。揚水管１４の下端には、径方向外向きに膨出した楕円球状のベーンケース１５が連結されている。このベーンケース１５の下端には、下方に向けて直径が徐々に広がる円錐筒状の吸込ベルマウス１６が連結されている。この吸込ベルマウス１６の下端に吸込口１２が形成されている。この吸込口１２は、吸込水槽３の底壁４と所定間隔をあけて対向する。また、揚水管１４の上端には、９０度湾曲した吐出ベンド１７が連結されている。この吐出ベンド１７に吐出管１３が連結されている。
【００２０】
ケーシング１１には、揚水管１４の軸方向に沿って回転軸１８が配設されている。この回転軸１８の上端は、ケーシング１１の吐出ベンド１７を貫通して外側に突出されている。突出した回転軸１８の上端には、回転軸１８を回転駆動するための駆動手段であるモータ（図示せず）が連結される。回転軸１８の下端はベーンケース１５内に位置する。この回転軸１８の下端には、吸込口１２からケーシング１１内に水を吸い込むためのインペラ１９が連結されている。
【００２１】
回転軸１８の上端部は、スラスト軸受けである軸受２０によって回転可能に支持されている。インペラ１９が連結された回転軸１８の下端側は、ラジアル軸受けである水中軸受２１Ａ，２１Ｂによって回転可能に支持されている。回転軸１８の中間部は、ラジアル軸受けである水中軸受２２によって回転可能に支持されている。
【００２２】
図２に示すように、回転軸１８の下端側を支持する水中軸受２１Ａ，２１Ｂは、ベーンケース１５内に配置した軸受ケーシング２３に配設されている。この軸受ケーシング２３は、インペラ１９の上部（排水方向下流側）に位置し、放射状に延びるガイドベーン２４を介してベーンケース１５内に固定されている。軸受ケーシング２３の軸心には、回転軸１８が回転可能に挿通される挿通部２５が形成されている。挿通部２５の下端に水中軸受２１Ａが配設され、挿通部２５の上端に水中軸受２１Ｂが配設されている。
【００２３】
回転軸１８には、軸受ケーシング２３の下端に位置するように平面視円形状のバランス板２６が固定されている。このバランス板２６は、インペラ１９の排水方向下流側に位置するとともに、水中軸受２１Ａ，２１Ｂの排水方向上流側に位置する。バランス板２６の直径は、インペラ１９による軸スラスト荷重に相当する立軸ポンプ１０の吐出容量に比例して設定されている。
【００２４】
軸受ケーシング２３には、バランス板２６の排水方向下流側に位置するように、所定容積の空間からなる背圧室２７が設けられている。背圧室２７には、内部に流入した水をケーシング１１外である吸込水槽３内へ圧力差によって排出する排水部２８が連通されている。この排水部２８は、軸受ケーシング２３に形成した連通路２９と、ケーシング１１に形成した排出路３０と、これらの流路２９，３０を連通させる接続パイプ３１とを備える。連通路２９は、背圧室２７から径方向外向きに延びるように形成されている。排出路３０は、連通路２９の径方向外側に位置するよう形成され、外端側が吸込水槽３内で開口している。接続パイプ３１は、軸受ケーシング２３とベーンケース１５との間を径方向に延びる。排出路３０の出口には、排水量を調整するための絞りとしてオリフィス３２が配置されている。
【００２５】
図１に示すように、ケーシング１１には、吸込水槽３内の空気をケーシング１１内に導入するための吸気管３３が配管されている。本実施形態では、ケーシング１１内に均一に空気を供給できるように、等間隔で複数（本実施形態では４本）の吸気管３３が設けられている。この吸気管３３の一端３３ａ側は、インペラ１９の上流側である吸込ベルマウス１６に接続され、ケーシング１１内で開口されている。詳しくは、吸気管３３の一端３３ａ側は、インペラ１９の上流側に位置する吸込ベルマウス１６の最も開口面積が小さい絞口部１６ａに接続されている。吸気管３３の他端３３ｂ側は、吸込水槽３内を上向きに延び、吸込水槽３内の設定した水中渦発生予測水位Ｈで開口されている。
【００２６】
ここで、水中渦は、底壁４から吸込口１２に向けて延びる渦であり、吸込水槽３内の水量が少なくなり、吸込口１２から吸い込まれる水流が速くなることで発生する。水中渦が発生すると予測される水位Ｈは、インペラ１９の上部、詳しくは底壁４からインペラ１９を収容するベーンケース１５の上端の高さとほぼ位置する。そこで、本実施形態では、吸気管３３の他端３３ｂをベーンケース１５の上端で開口させている。また、他端３３ｂの開口は、湾曲部３４を設けて底壁４と対向するように設定される。
【００２７】
吸気管３３の一端３３ａ側の開口面積（直径）は、吸込ベルマウス１６の絞口部１６ａの開口面積の２％以上５％以下に設定する。また、吸気管３３の他端３３ｂの開口面積は、絞口部１６ａの開口面積の５％以上１０％以下に設定する。吸気管３３の一端３３ａ側を５％より大きくしたり、吸気管３３の他端３３ｂ側を１０％より大きくした場合には、ケーシング１１に対する空気吸込量が多くなる。その結果、排水運転に影響が及び、最悪の場合には排水が停止するという問題がある。本実施形態では、上記設定とすることにより、揚程が大きく低下しない微量の空気を供給でき、運転を阻害しないようにしている。
【００２８】
次に、本実施形態の立軸ポンプ１０の排水動作について説明する。
【００２９】
設定水位まで吸込水槽３内に水が溜まると、回転軸１８が回転され、運転が開始される。そうすると、インペラ１９によって吸込水槽３内の水が揚水され、吐出管１３を通して下流側の吐出水槽に吐出される。この際、排水によりインペラ１９の下流側の圧力（背圧）が高くなり、インペラ１９を連結した回転軸１８には軸線に沿った軸スラストが作用する。
【００３０】
本実施形態の立軸ポンプ１０には、回転軸１８にバランス板２６を配設しているため、バランス板２６の下流側の圧力（背圧）を低くすることができる。また、バランス板２６の下流側に設けた背圧室２７に排出部を設けているため、バランス板２６の背圧を低減した状態に保つことができる。よって、回転軸１８の軸方向に沿ったスラスト荷重を効果的に低減できる。詳しくは軸受２０に対する軸スラスト荷重を低減できるとともに、バランス板２６の背部の水中軸受２１Ａ，２１Ｂの半径スラスト荷重を低減できる。
【００３１】
詳しくは、インペラ１９の出口（下流）側圧力をＰ１、背圧室２７内の圧力をＰ２、排出部の出口側圧力Ｐ３とすると、圧力Ｐ１が最も高く、圧力Ｐ３が最も低くなる（Ｐ１＞Ｐ２＞Ｐ３）。そのため、バランス板２６には排水方向に沿った軸スラストＴｕが作用するため、図１に示す排水方向逆向きの軸スラストＴａが大きくなる。その結果、軸受２０に加わる軸スラストＴｂを低減できる。
【００３２】
更に詳しくは、バランス板２６が無いときの軸スラストをＴａとすると、軸受２０に加わる軸スラストＴｂは、以下の数式（１）で演算できる。
【００３３】
【数１】
0006420594.tif 000002
Tａ:バランス板が無いときの軸スラスト  Tｂ:スラスト軸受に加わる軸スラスト
Tｕ:軸受ケーシング上部の軸スラスト
Dd:バランス板の直径                  Ds:シャフト直径
P１:インペラ出口圧力                  P２:背圧室の圧力
【００３４】
排水部２８の直径を大きくすると洩れ損失は大きくなるが、インペラ１９の出口側圧力Ｐ１と背圧Ｐ２が大きくなるため、軸スラスト荷重Ｔｂを小さくすることができる。そして、排水部２８の出口には、排水量を調整可能なオリフィス３２を設けているため、軸スラスト荷重を容易に調整できる。
【００３５】
また、バランス板２６と背圧室２７との間の隙間を小さくすることにより、洩れ損失と一緒に軸スラスト荷重Ｔｂも小さくすることができる。そして、バランス板２６の直径は、インペラ１９の直径に関係なく任意に設定できるため、設計の自由度が大きい。
【００３６】
また、本実施形態の立軸ポンプ１０は、インペラ１９を支持する水中軸受２１Ａ，２１Ｂの上流側に配置しているため、水中軸受２１Ａ，２１Ｂでの圧力が低減される。よって、ラジアル軸受けの破損や振動を効果的に抑制できる。
【００３７】
なお、排水運転により排水が進み、吸込水槽３内の水が水中渦発生予測水位Ｈまで低下すると、吸込水槽３内には水中渦が発生する。吸込口１２に向かう水中渦の渦芯は回転角速度が早く、キャビテーションにより渦が形成される。この渦がインペラ１９を通過すると、水中軸受２１Ａ，２１Ｂには水中渦が発生していない場合の７〜８倍の流体力（半径軸スラスト）が働く。
【００３８】
しかし、本実施形態の立軸ポンプ１０は、水中渦発生予測水位Ｈまで低下すると、吸込水槽３内の空気をケーシング１１内に導入する吸気管３３を配設している。そのため、キャビテーションを緩和し、半径スラスト荷重を低減し、振動を防止できる。詳しくは、吸気管３３から吸込まれた空気は、ケーシング１１内でインペラ１９によって直径数ミリ以下の多数の気泡（マイクロバブル）に粉砕され、揚水と一緒に下流側へ排出される。このマイクロバブルがクッションの役割をなすため、水中軸受２１Ａ，２１Ｂの半径スラスト荷重を効果的に低減できる。また、ケーシング１１内に導入される空気量は、揚程が大きく低下しない流量に設定しているため、排水運転を阻害することはない。
【００３９】
このように、本発明の立軸ポンプ１０は、回転軸１８にバランス板２６を設けているため、軸スラスト荷重を効果的に低減できる。また、吸込水槽３内の空気を導入する吸気管３３を設けているため、半径スラスト荷重を効果的に低減できる。よって、スラスト軸受けである軸受２０やラジアル軸受けである水中軸受２１Ａ，２１Ｂ軸受け等の破損や振動を効果的に抑制できる。
【００４０】
（第２実施形態）
図３および図４は第２実施形態の立軸ポンプ１０を示す。この第２実施形態では、軸受２０側にも背圧を低減するためのバランス板３８と、背圧を低減した状態に保つための背圧室３９および排水部４０を設けた点で、第１実施形態と相違する。
【００４１】
図４に示すように、ケーシング１１の吐出ベンド１７には、回転軸１８を貫通させて外側に突出させた部分に、外向きに突出する収容部３５が形成されている。収容部３５の上端には貫通部３６が設けられている。貫通部３６と回転軸１８との隙間は、軸封装置３７によってシールされている。
【００４２】
回転軸１８には、収容部３５の全高の中間部分に位置するようにバランス板３８が固定されている。このバランス板３８は、軸封装置３７の上流側に位置する。バランス板３８の配設によって収容部３５内には、バランス板３８の下流側に背圧室３９が画定される。背圧室３９には、内部に流入した水をケーシング１１外である吸込水槽３内へ圧力差によって排出する排水部４０が連通されている。図３を参照すると、排水部４０は、背圧室３９と連通するように一端側を収容部３５に接続し、他端側を配置穴２を通して吸込水槽３内に配置したパイプである。
【００４３】
この第２実施形態の立軸ポンプ１０は、バランス板３８によって軸封装置３７を配設した背圧室３９側の圧力Ｐ２を上流側の圧力Ｐ１より低くすることができる。しかも、排水部４０によりバランス板３８の背圧を低減した状態を維持できる。そのため、軸受２０に加わる軸スラスト荷重を更に効果的に低減できる。しかも、軸封装置３７の破損を抑制できるとともに、軸封装置３７からの水の漏出を確実に防止できる。
【００４４】
（第３実施形態）
図５は第３実施形態の立軸ポンプ１０を示す。この第３実施形態では、バランス板３８の軸線に沿った中央外周部に、径方向内向き窪む凹溝４１を設けるとともに、この凹溝４１の径方向外側に位置するように、排水部４２を配管した点で、第２実施形態と相違する。排水部４２は、排水部４０と同様に、背圧室３９と連通するように一端側を収容部３５に接続し、他端側を配置穴２を通して吸込水槽３内に配置したパイプである。
【００４５】
この第３実施形態の立軸ポンプ１０は、凹溝４１の部分の水を排水部４２で排出できる。また、軸封装置３７の上流側の背圧室３９の水を排水部４０で排出できる。そのため、バランス板３８の上流側の圧力Ｐ１と下流側の圧力Ｐ２の圧力差ΔＰを大きくすることができる。その結果、軸封装置３７に加わる圧力を更に低減できるうえ、軸スラスト荷重を更に効果的に低減できる。また、ポンプ停止時のポンプ内部の真空破壊時に、吸込水槽３内の空気を排水部４０と排水部４１から背圧室３９に吸い込むことができる。よって、軸封装置３７は真空に引かれることはなく、大気圧の状態に保たれるため、信頼性を向上できる。
【００４６】
（第４実施形態）
図６は第４実施形態の立軸ポンプ１０を示す。この第４実施形態では、吸込水槽３内に位置する吸込ベルマウス１６から据付床１上のモータ室にかけて吸気管４３を配管し、この吸気管４３に流動可能な開口面積を調整可能な可変絞り４９を介設した点で、第１実施形態と相違する。
【００４７】
吸気管４３は、吸込ベルマウス１６の絞口部１６ａの外周部に所定間隔をあけて位置する平面視円形状の環状部４４を備える。この環状部４４には、径方向内向きに突出する複数（本実施形態では４本）の接続部４５が、周方向に等間隔で設けられている。この接続部４５が吸込ベルマウス１６の絞口部１６ａに接続され、ケーシング１１内で開口される。環状部４４には、配置穴２を通して据付床１の上方まで延びる上行部４６が設けられている。この上部の上端には、下向きに１８０度旋回する湾曲部４７が設けられている。この湾曲部４７には、再び配置穴２を通して吸込水槽３内に延びる下行部４８が設けられている。この下行部４８の下端は、吸込水槽３内の設定した水中渦発生予測水位Ｈに配置されている。
【００４８】
可変絞り４９は、流動可能な開口面積を調整することにより、ケーシング１１内に導入される空気量を調整する。この可変絞り４９は、据付床１上に位置する下行部４８に介設されている。
【００４９】
この第４実施形態では、第１実施形態と同様の作用および効果を得ることができる。しかも、吸気管４３に可変絞り４９を配置しているため、吸気管４３として利用可能なパイプの自由度を大きくすることができる。しかも、吸気管４３を据付床１上まで延ばし、その部分に可変絞り４９を配置しているため、オペレータが容易に操作（調整）することができる。また、電動で開口面積を変更可能な可変絞り４９を用いることで、吸気管４３を先行待機ポンプの空気管と兼用させることもできる。
【００５０】
なお、本発明のポンプは前記実施形態の構成に限定されず、種々の変更が可能である。
【００５１】
例えば、第１実施形態では、インペラ１９を支持する水中軸受２１Ａ，２１Ｂの上流側にバランス板２６を配設し、第２実施形態では、水中軸受２１Ａ，２１Ｂと軸封装置３７の上流側にそれぞれバランス板２６，３８を配設したが、軸封装置３７の側だけにバランス板３８を配設してもよい。また、各実施形態では、バランス板２６，３８の背圧を低減した状態に保つために排水部２８，４０を設けたが、排水部２８，４０は設けない構成としてもよい。また、第４実施形態の吸気管４３を第１から第３実施形態の立軸ポンプ１０に適用してもよい。
【００５２】
また、前記実施形態では、本発明のバランス板２６，３８および吸気管３３を立軸ポンプ１０に適用したが、ケーシングに対して回転軸を横方向に延びるように配置した横軸ポンプにも適用可能であり、同様の作用および効果を得ることができる。また、吸込ベルマウス１６の内部に直径が小さいベルマウスを配置した所謂二重ラッパ管を用いたポンプに、バランス板２６，３８および吸気管３３を設けてもよい。
【符号の説明】
【００５３】
１…据付床
３…吸込水槽
１０…立軸ポンプ
１１…ケーシング
１２…吸込口
１３…吐出管
１８…回転軸
１９…インペラ
２０…軸受（スラスト軸受け）
２１Ａ，２１Ｂ…水中軸受（ラジアル軸受け）
２３…軸受ケーシング
２６…バランス板
２７…背圧室
２８…排水部
３２…オリフィス（絞り）
３３…吸気管
３３ａ…一端
３３ｂ…他端
３６…貫通部
３７…軸封装置
３８…バランス板
３９…背圧室
４０…排水部
【図１】
0006420594.tif 000003
【図２】
0006420594.tif 000004
【図３】
0006420594.tif 000005
【図４】
0006420594.tif 000006
【図５】
0006420594.tif 000007
【図６】
0006420594.tif 000008